(57)【特許請求の範囲】
【請求項１】
基体、この基体表面を覆う状態に形成された抵抗皮膜、および、この抵抗皮膜を一定幅で除去して前記基体表面を露出させた切条溝を備えている抵抗体と、
前記抵抗体の軸線方向における一方の端部に取り付けた第１の電極および他方の端部に取り付けた第２の電極と、
一定の空隙をあけて前記抵抗体の外周面に形成されている抵抗皮膜部分を包み込んでいる外装管と、
この外装管の内表面に形成した導電性皮膜とを有し、
前記導電性皮膜は、前記抵抗体の軸線方向における一方の端部が前記第１の電極と電気的に接続されており、他方の端部が前記第２の電極と電気的に接続されており、
前記導電性皮膜には、前記外装管の内表面を露出させて、当該導電性皮膜を前記抵抗体の軸線方向における一方の側に位置する第１の導電性皮膜部分と他方の側に位置する第２の導電性皮膜部分とに分離する環状の絶縁スリットが形成され、
当該絶縁スリットは、その幅方向の中心が、前記抵抗体の軸線方向の中心位置と一致するように形成されている抵抗器。
【請求項２】
請求項１において、
前記第１の電極は、前記抵抗体の一方の端部に嵌合する金属材からなる第１のキャップと、前記外装管の一方の側の開口部に嵌合する第１の管端電極を有し、
前記第１の管端電極と前記抵抗体の一方の端部との間に前記第１のキャップが挟み込まれており、
前記第２の電極は、前記抵抗体の他方の端部に嵌合する金属材からなる第２のキャップと、前記外装管の他方の側の開口部に嵌合する第２の管端電極を有し、
前記第２の管端電極と前記抵抗体の他方の端部との間に前記第２のキャップが挟み込まれていることを特徴とする抵抗器。
【請求項３】
請求項２において、
前記抵抗体と前記外装管と前記第１および第２の管端電極によって、密閉状態の前記空隙が形成されており、
当該空隙内には気体が封入されているか、あるいは、当該空隙内が減圧状態に保持されていることを特徴とする抵抗器。
【請求項４】
請求項２または３において、
前記第１の管端電極を貫通して前記第１のキャップに導通している第１のリード線と、  前記第２の管端電極を貫通して前記第２のキャップに導通している第２のリード線とを有しており、
前記第１および第２の管端電極における前記外装管の両端開口部への嵌め込み部分並びに前記第１および第２のリード線の前記第１および第２の管端電極に対する貫通部分を、樹脂により封止していることを特徴とする抵抗器。
【発明の詳細な説明】
【０００１】
【発明の属する技術分野】
本発明は、抵抗体の外装に導電性皮膜を用いて、再生音において聴感として違和感があった点を回避した高忠実度の再生に供する抵抗器に関するものである。
【０００２】
【従来の技術】
高忠実度の増幅器において微小信号を増幅する場合、増幅器に付加する抵抗器自体の電気的特性が増幅器の回路に影響を与えている点を改善するために、抵抗皮膜の材質、抵抗皮膜とキャップ等端子との接続方法およびキャップの材質、あるいは抵抗体を外来の誘導からシールドした抵抗器の改善が提案されている。
【０００３】
音響機器の再生音質を改善するために、抵抗皮膜が通電時に誘導磁界の影響を受ける点を逆に利用して、信号電流に対するひずみを最小化し得るように誘導配列したオーディオ機器用抵抗器（特開昭６１−３４９０１号公報参照）がある。
【０００４】
抵抗体を磁性皮膜と導電性皮膜とで交互に層構成し外部からの雑音を熱エネルギー変換して放散し、シールド内部の抵抗体に雑音の影響がおよばないように構成したシールド抵抗器（特開平３−２８８４０１号参照）がある。
【０００５】
抵抗担体の内周面に抵抗帯を形成し、抵抗担体の外周面をシールド膜で覆った抵抗器（実開平１−１３０５０１号参照）がある。
【０００６】
【発明が解決しようとする課題】
抵抗器に加わる信号が微小の場合、抵抗皮膜に直に塗装又はモールドしたものは外装が外来の静電誘導の影響を受けて抵抗皮膜は帯電し易い。
【０００７】
更に、外装に磁性膜を使用すれば微小信号が磁性の影響を受け、信号は位相ひずみを生ずる重大な欠点がある。
【０００８】
又、筒状の担体の内周面に抵抗帯皮膜を形成し、外周面をシールド膜で覆った抵抗器では、シールド膜によって抵抗皮膜への外部の電磁界による影響を防止できるが、しかし、シールド皮膜と抵抗皮膜が担体に対して表裏一体に形成されているために、抵抗皮膜に流れる信号に応じて担体が帯電して信号に影響をおよぼす。
【０００９】
これらの従来の抵抗器においては、抵抗皮膜を外気から遮断するために抵抗皮膜を直接外装している。この外装は一般に誘電体のために、外来の静電誘導を受けて帯電する。この帯電電荷が抵抗皮膜に影響しているものと考えられる。
【００１０】
抵抗器の直線性を測定器（ラジオメータ社ＣＬＴ−１、部品直線性試験装置）で測定した結果、１０ＫＨｚに含まれる第３次高調波成分は、１２０ｄｂを越える低い値が測定された。
【００１１】
又、抵抗皮膜を切条することにより生ずるインダクタンス（以下Ｌ分と略称）と抵抗皮膜を直接外装したことにより生ずるキャパシタンス（以下Ｃ分と略称）は、測定器（ヒューレットパッカード社４２８４Ａ、ＬＣＲメータ）で測定した結果、音響周波帯に限ってＬ分は検知されず、Ｃ分のみ４０ｄｂ以上の変化が検知された。
【００１２】
上記の測定結果から聴感は抵抗器のＬ分には影響されずＣ分のみに影響され、このＣ分が誘電体である外装に依存していることが判明される。外装は抵抗皮膜に直接接触しているため、外装が静電誘導によって帯電して、抵抗皮膜に加わる微小信号に影響を与えているのである。
【００１３】
本発明は、このように抵抗器の外装が静電誘導によって帯電して抵抗皮膜に影響し、再生音において聴感として違和感があった点を回避した抵抗器を提供するものである。
【００１４】
【課題を解決するための手段】
抵抗皮膜に加わる微小信号に影響をおよぼす外装の静電誘導による電荷を除去するために、抵抗皮膜を覆う外装を設けて、この外装は抵抗皮膜との間に空隙をもって設定する。外装の少なくとも内表面に導電性皮膜を設け、抵抗体の中程に位置するこの導電性皮膜に一定幅の絶縁スリットを形成する。そして、管端電極により外装の導電性皮膜とキャップとを固定する。すなわち、本発明の抵抗器は、基体、この基体表面を覆う状態に形成された抵抗皮膜、および、この抵抗皮膜を一定幅で除去して前記基体表面を露出させた切条溝を備えている抵抗体と、前記抵抗体の軸線方向における一方の端部に取り付けた第１の電極および他方の端部に取り付けた第２の電極と、一定の空隙をあけて前記抵抗体の外周面に形成されている抵抗皮膜部分を包み込んでいる外装管と、この外装管の内表面に形成した導電性皮膜とを有し、前記導電性皮膜は、前記抵抗体の軸線方向における一方の端部が前記第１の電極と電気的に接続されており、他方の端部が前記第２の電極と電気的に接続されており、前記導電性皮膜には、前記外装管の内表面を露出させて、当該導電性皮膜を前記抵抗体の軸線方向における一方の側に位置する第１の導電性皮膜部分と他方の側に位置する第２の導電性皮膜部分とに分離する環状の絶縁スリットが形成され、当該絶縁スリットは、その幅方向の中心が、前記抵抗体の軸線方向の中心位置と一致するように形成されていることを特徴とする。
【００１５】
抵抗体の中程に位置する導電性皮膜に設けた絶縁スリットにより、絶縁スリットに生じた静電誘導によるわずかな帯電電荷と、抵抗器に加わる信号によって外装の導電性皮膜を通じて絶縁スリットに生ずる電荷とが互いに作用して均等に打ち消し合い排除されるようにしてある。
【００１６】
本発明において、前記第１の電極は、前記抵抗体の一方の端部に嵌合する金属材からなる第１のキャップと、前記外装管の一方の側の開口部に嵌合する第１の管端電極を有し、前記第１の管端電極と前記抵抗体の一方の端部との間に前記第１のキャップが挟み込まれており、前記第２の電極は、前記抵抗体の他方の端部に嵌合する金属材からなる第２のキャップと、前記外装管の他方の側の開口部に嵌合する第２の管端電極を有し、前記第２の管端電極と前記抵抗体の他方の端部との間に前記第２のキャップが挟み込まれているように構成できる。この場合には、前記抵抗体と前記外装管と前記第１および第２の管端電極によって、密閉状態の前記空隙が形成されており、当該空隙に空気又は不活性ガス等の気体を封入して、誘電体である外装管の影響が抵抗皮膜におよぶのを回避する。
【００１７】
又、両皮膜間の空隙を減圧することによって外装の静電誘導が抵抗皮膜に影響する点を回避することもできる。
【００１８】
また、本発明の抵抗器は、前記第１の管端電極を貫通して前記第１のキャップに導通している第１のリード線と、前記第２の管端電極を貫通して前記第２のキャップに導通している第２のリード線とを有しており、前記第１および第２の管端電極における前記外装管の両端開口部への嵌め込み部分並びに前記第１および第２のリード線の前記第１および第２の管端電極に対する貫通部分を、樹脂により封止するようにしてもよい。この場合、抵抗体の抵抗皮膜が導電性皮膜によって覆われた外装の表面に接触しないように挿入し、抵抗体の両端のキャップに溶接したリード線に管端電極を挿通して圧入することにより、管端電極は外装の導電性皮膜に嵌合するとともにキャップに固定する。又、管端電極と外装の導電性皮膜との嵌合部および管端電極の外部を樹脂により封止する。
【００１９】
外装管は、抵抗皮膜を形成する基体の形状に合わせ、いろいろな形状を作成することができる。基体が円柱形状又は、角形の場合ともに基体の表面積を小さくし、且つ外装管の表面に形成した導電性皮膜と抵抗皮膜との空間面積をより小さくするように設定することが望ましい。
【００２０】
【作用】
導電性皮膜に空隙をもって対面する抵抗皮膜は、外来の静電誘導の影響を受けない。
【００２１】
又、抵抗体の中程に位置する導電性皮膜に絶縁スリットを設けているので、絶縁スリットに対面している抵抗皮膜がわずかに帯電することが予想される。しかし、絶縁スリットに生ずる静電誘導による電荷と、導電性皮膜を通じて加えられた信号による電荷とが作用して、電荷は均等に打ち消される。
【００２２】
従って、抵抗皮膜に加わる微小信号が静電誘導による外装の帯電電荷に影響されるのを防止でき、増幅器に付加されたこの微小信号は外来の影響を受けないので音響機器における再生音は原音に近く聴感として違和感がない。
【００２３】
【発明の実施の形態】
発明の形態を実施例にもとづき、図面を参照して説明する。
【００２４】
図１は外装する前の抵抗器を示すもので、１は磁器から成る基体であって、基体１の表面に熱分解、スパッタリング又はメッキ等の方法によって、カーボン、ニクローム、酸化スズ等の抵抗皮膜２を形成し、抵抗皮膜２の表面に抵抗値を設定する切条溝３を設け、抵抗皮膜２の両端部に金属材からなる第１、第２のキャップ４を嵌合して第１、第２のキャップ４にそれぞれ第１、第２のリード線５が溶接される。
【００２５】
図２は本発明に係る外装の実施例である。６は磁器管、ガラス管等の絶縁材から成る外装管である。外装管６の内表面、端面および、外表面に塗布、又はメッキ等により導電性皮膜７を形成する。
【００２６】
８は絶縁スリットであって、抵抗体の中程に位置する導電性皮膜７（図３に示す）の内側を電気的に遮断して形成される。
【００２７】
図３は、図２に示した抵抗器の外装を取り付けた実施例である。９は第１、第２の管端電極であって、外装の導電性皮膜７と抵抗器の第１、第２のキャップ４を電気的に導通するように第１、第２の管端電極９の中心孔に、第１、第２のキャップ４に溶接した第１、第２のリード線５を挿入して圧入する。
【００２８】
抵抗器は抵抗皮膜２と外装管６の導電性皮膜７との空隙１０（図５に示す）の面積を小さくして、空隙１０に空気、又は不活性ガス等を封入し、第１、第２の管端電極９の中心孔と第１、第２のリード線５の接触部および第１、第２の管端電極９と外装の導電性被膜７との嵌合部を樹脂１１により封止する。あるいは空隙１０を減圧して上記と同じように、第１、第２の管端電極９を樹脂１１によって封止してもよい。
【００２９】
図４は、図３に示した抵抗器のリード線５を取り除いたリードレス抵抗器である。１２は第１、第２の電極であって、抵抗皮膜２と第１、第２のキャップ４との接合部に設ける。１３はハンダ等から成る外部電極である。
【００３０】
【発明の効果】
本発明は、以上の如く構成されているので以下に説明する効果が得られる。
【００３１】
外装管の導電性皮膜に対面した抵抗皮膜には外来の静電誘導による電荷は生じない。同時に、絶縁スリットにおいては、外来の静電誘導によるわずかな電荷と、導電性皮膜を通じて加えられた信号による電荷とが互いに打ち消され、抵抗皮膜に静電誘導の影響がおよばず、抵抗に付加された信号はひずみを生じない。
【００３２】
更に、抵抗皮膜と外装の導電性皮膜は空隙をもって対面してるので、外装管の肉厚を特定する必要はない。従って、外装管の形状を自由に選択でき、容易に製作することが可能である。
【図面の簡単な説明】
【図１】外装する前の抵抗器の一部切断した正面図である。
【図２】外装の一部切断した正面図である。
【図３】外装に覆われた抵抗器の断面図である。
【図４】リードレス抵抗器の断面図である。
【図５】抵抗皮膜と外装管との空隙を示す一部断面図である。
【符号の説明】
１は基体である。
２は抵抗皮膜である。
３は切条溝である。
４はキャップである。
５はリード線である。
６は外装管である。
７は導電性皮膜である。
８は絶縁スリットである。
９は管端電極である。
１０は空隙であ。
１１は樹脂である。
１２は電極である。
１３は外部電極である。
【図１】
0003560518.tif 000002
【図２】
0003560518.tif 000003
【図３】
0003560518.tif 000004
【図４】
0003560518.tif 000005
【図５】
0003560518.tif 000006